(57)【要約】【課題】　フィルタを傷めることなく着脱を容易に行うことができると共に、部品点数の削減化を図り組立作業性の向上を図ることができる冷凍ユニットを提供する。【解決手段】　先ず、図５（Ａ）に示すように、フィルタ８の把持部３１Ａを持って、ブラケット部材９のフィルタ支持部２４と凝縮器５の前側上端部とで形成される固定部としての空間に、フィルタ８の上端縁部を下側から差し込む。そして、図５（Ｂ）に示すように、フィルタ８の上端縁部をブラケット部材９に押し当てつつ、該フィルタ８を凝縮器５の前面に対して平行になるようにする。続いて、図５（Ｃ）に示すように、フィルタ８をほぼ垂直下側方向に降ろして、該フィルタ８の各係止突起３１Ｂをユニット台板４の各差込孔４６に差し込む。【選択図】　図５
2004125386.tif 000002
【特許請求の範囲】
【請求項１】
　凝縮器と、前記凝縮器の空気入口側面に着脱可能に配置されるフィルタと、前記凝縮器の風下側に配置されるファンモータと、これらが載置されるユニット台板と、を備えた冷凍ユニットにおいて、
　前記凝縮器の上部に載置される平板部を有するブラケット部材を備え、
　前記平板部は、該凝縮器の空気入口側面よりも外側方向に所定長さ延出される第１延出部と、前記第１延出部の外側端縁部から前記ユニット台板側の斜め外側方向に所定長さ延出される第２延出部と、を有し、
　前記フィルタは、下端面より突出して形成される係止突起を有し、
　前記ユニット台板は、前記第１延出部に対向する位置に形成されて、前記係止突起が差し込まれる差込孔を有し、
　該フィルタは、上端部を前記第１延出部、第２延出部及び凝縮器によって形成される固定部に挿入されつつ、前記係止突起がユニット台板の差込孔に差し込まれて着脱可能に配置されることを特徴とする冷凍ユニット。
【請求項２】
　前記ブラケット部材は、前記平板部と一体に形成されて、前記凝縮器の空気出口側部分を覆うカバー部を有し、
　前記カバー部は、背面部に開口部が形成されると共に、前記開口部の略中央部に前記ファンモータが取り付けられていることを特徴とする請求項１に記載の冷凍ユニット。
【発明の詳細な説明】
【技術分野】
【０００１】
　本発明は、冷蔵庫や冷凍庫などに取り付けられる冷凍ユニットに関するものである。
【背景技術】
【０００２】
　従来の冷凍ユニットは、凝縮器の上部に前端を下方に折曲した折曲部を有する板体が着脱自在に取り付けてある。また、この凝縮器を収容してユニットベース上に載置される水受皿は、この凝縮器の前方において左右に間隔を存した２本の螺子によってユニットベースに固定されている。また、この螺子の頭部は、水受皿の上面より上側に突出している。そして、この板体の折曲部と凝縮器とによって構成されるスペースにフィルタの上端部を挿入すると共に、このフィルタの下端部を各螺子の頭部と凝縮器との間のスペースに差し込むことによって、フィルタが着脱可能に保持されている（例えば、特許文献１参照。）。
【特許文献１】特開平３−１４８５７４号公報（第２頁−第３頁、第４図）
【発明の開示】
【発明が解決しようとする課題】
【０００３】
　しかしながら、このような冷凍ユニットにおいては、フィルタ上部は凝縮器前面に対して平行な折曲部と凝縮器とのスペースにフィルタを差し込む取り付け方法であるため、フィルタ取り付け時に、このフィルタの上端部を差し込みにくく、また、フィルタ取り外し時に、フィルタの上端部が折曲部に引っ掛かって取り外しにくいという問題がある。また、フィルタ下部は、螺子の頭部と凝縮器との間のスペースに差し込む取り付け方法であるため、２本の螺子をユニットベースに取り付けなければならず、組立作業が煩雑であるという問題がある。更に、２本の螺子を外さずにフィルタを取り付ける場合には、このフィルタのフィルタ枠を変形させないと取り付けることができないため、フィルタを傷める虞があるという問題がある。
【０００４】
　そこで、本発明は、上述した問題点を解決するためになされたものであり、凝縮器の上部に前端を斜め下外側方向に延出した延出部を有するブラケット部材を載置し、フィルタの下端部に係止突起を突設させると共に、ユニット台板にこの係止突起が差し込まれる差込孔を設けることにより、フィルタを傷めることなく着脱を容易に行うことができると共に、部品点数の削減化を図り組立作業性の向上を図ることができる冷凍ユニットを提供することを目的とする。
【課題を解決するための手段】
【０００５】
　前記目的を達成するために、請求項１に係る冷凍ユニットは、凝縮器と、前記凝縮器の空気入口側面に着脱可能に配置されるフィルタと、前記凝縮器の風下側に配置されるファンモータと、これらが載置されるユニット台板と、を備えた冷凍ユニットにおいて、前記凝縮器の上部に載置される平板部を有するブラケット部材を備え、前記平板部は、該凝縮器の空気入口側面よりも外側方向に所定長さ延出される第１延出部と、前記第１延出部の外側端縁部から前記ユニット台板側の斜め外側方向に所定長さ延出される第２延出部と、を有し、前記フィルタは、下端面より突出して形成される係止突起を有し、前記ユニット台板は、前記第１延出部に対向する位置に形成されて、前記係止突起が差し込まれる差込孔を有し、該フィルタは、上端部を前記第１延出部、第２延出部及び凝縮器によって形成される固定部に挿入されつつ、前記係止突起がユニット台板の差込孔に差し込まれて着脱可能に配置されることを特徴とする。
【０００６】
このような特徴を有する請求項１に係る冷凍ユニットにおいては、ブラケット部材の平板部の第２延出部は、ユニット台板側の斜め外側方向に所定長さ延出されている。また、フィルタは、上部をブラケット部材の平板部の第１延出部、第２延出部及び凝縮器によって形成される固定部に挿入しつつ、このフィルタの下端部に形成される係止突起をユニット台板の差込孔に差し込むことにより着脱可能に取り付けられる。
【０００７】
　また、請求項２に係る冷凍ユニットは、請求項１に記載の冷凍ユニットにおいて、前記ブラケット部材は、前記平板部と一体に形成されて、前記凝縮器の空気出口側部分を覆うカバー部を有し、前記カバー部は、背面部に開口部が形成されると共に、前記開口部の略中央部に前記ファンモータが取り付けられていることを特徴とする。
【０００８】
　このような特徴を有する請求項２に係る冷凍ユニットでは、ブラケット部材の平板部と一体に形成されるカバー部材にファンモータが取り付けられている。また、ブラケット部材は、平板部とファンモータなどを取り付けるカバー部とが一体化されている。
【発明の効果】
【０００９】
　請求項１に係る冷凍ユニットでは、ブラケット部材の平板部の第２延出部は、ユニット台板側の斜め外側方向に所定長さ延出されているため、このフィルタの上部を第２延出部に沿わせて斜め前側方向に傾けて差し込み及び抜き取り作業をすることができ、フィルタの取り付け・取り外し作業を容易に行うことができると共に、フィルタの取り付け・取り外し時に、フィルタ枠を曲げる必要がなくなってフィルタを傷めることなく長期間の使用が可能となる。また、フィルタは、上部をブラケット部材の平板部の第１延出部、第２延出部及び凝縮器によって形成される固定部に挿入しつつ、このフィルタの下端部に形成される係止突起をユニット台板の差込孔に差し込むことにより着脱可能に取り付けられるため、フィルタを保持するための部品点数を削減することができ、冷凍ユニットの組立作業性の向上を図ることができる。
【００１０】
　また、請求項２に係る冷凍ユニットでは、ブラケット部材の平板部と一体に形成されるカバー部材にファンモータが取り付けられているため、凝縮器周囲に取り付ける部品点数の削減化を図ることができ、組立作業性の向上を図ることができる。また、ブラケット部材は、平板部とファンモータなどを取り付けるカバー部とが一体化されているため、ユニット台板上のスペースを効率的に使用することができ、省スペース化を図ることができる。
【００１１】
　また、請求項１又は請求項２に記載の冷凍ユニットにおいて、前記第２延出部は、左右方向の所定位置に外側端縁部から前後方向に切り欠かれて形成される位置決め用溝部を有し、前記フィルタは、上端縁部の前記位置決め用溝部に対向する位置に突設される位置決めリブ部を有し、該フィルタは、前記位置決めリブ部を前記位置決め用溝部に嵌入しつつ前記固定部に挿入される構成が好ましい。これにより、位置決めリブ部を位置決め用溝部に嵌入することによって、フィルタのブラケット部材及び凝縮器に対する位置決めを容易に行うことができる。また、位置決め用溝部は、第２延出部の左右幅方向の略中央位置に形成される構成が好ましい。これにより、フィルタの上端縁部の左右方向の略中央位置を位置決めリブ部によって容易に認識することができる。
【発明を実施するための最良の形態】
【００１２】
　以下、本発明に係る冷凍ユニットについて、具体化した第１実施形態及び第２実施形態を図面に基づいて詳細に説明する。
【実施例１】
【００１３】
　先ず、第１実施形態に係る冷凍ユニットの概略構成について図１乃至図４に基づき説明する。
　図１は第１実施形態に係る冷凍ユニットの概略構成を示す要部側面図である。図２は第１実施形態に係る冷凍ユニットのブラケット部材を示す図で、（Ａ）は平面図、（Ｂ）は正面図、（Ｃ）は側面図である。図３は第１実施形態に係る冷凍ユニットのフィルタの概略構成を示す図で、（Ａ）は正面図、（Ｂ）は側面図である。図４は第１実施形態に係る冷凍ユニットのユニット台板の概略構成を示す図で（Ａ）は平面図、（Ｂ）は正面図である。
【００１４】
　図１に示すように、冷凍ユニット１は、冷蔵庫本体２の上面にネジ等により取り付けられている。また、この冷蔵庫本体２は前面に開口部を有する箱状をなしており、その開口部には不図示の断熱扉が開閉可能に取り付けられている。また、冷蔵庫本体２の上面には開口部３が形成され、冷凍ユニット１を構成する後述の断熱パネルより構成されるユニット台板４によって閉塞されている。
　この冷凍ユニット１は、ユニット台板４の上に配置される凝縮器５、この凝縮器５の風下側に配置されるファンモータ６、更にこのファンモータ６の風下側でユニット台板４の上に配置される圧縮機７、凝縮器５の前面部の空気入口側面に配置されるフィルタ８等から構成されている。また、ファンモータ６は、後述のブラケット部材９の背面部に取り付けられている。
【００１５】
　また、このユニット台板４の下面には冷却ユニット１１が配設されている。この冷却ユニット１１は、ユニット台板４の下面に取り付けられる冷却器１２などから構成されている。また、この冷却器１２の下面は、送風ファン１３が固設されたドレンパン１４により覆われている。また、ドレンパン１４の底面は、後ろ下がりに庫内に取り付けられ、排水口１５はドレンホース１６を介して冷蔵庫本体２の後ろ側断熱壁内に埋設される排水管１７に接続されている。
【００１６】
　そして、上記構成により圧縮機７が運転されると圧縮機７から吐出された高温高圧のガス冷媒は凝縮器５に流入し、そこで放熱して凝縮する。凝縮器５で凝縮した冷媒はキャピラリチューブ１０等により減圧されて冷却器１２に流入し、そこで蒸発して冷却作用を発揮する。そして、送風ファン１３を回転させることにより、庫内の空気が冷却ユニット１１内に吸気され、冷却器１２により冷却されて、ドレンパン１４の後ろ側の不図示の排気孔等から庫内に排気され、冷気が冷蔵庫本体２内で循環する。また、冷却ユニット１１が駆動されると、冷蔵庫本体２内の水分が冷却器１２に集められ、冷却器１２に着霜して冷却効率が低下してしまうこととなる。そこで、冷却ユニット１１では、一定時間毎に霜取り動作が行われる。かかる霜取り動作を介して、冷却器１２に着霜した霜が溶かされ、水滴になってドレンパン１４上に落下する。このようにドレンパン１４上に落下した霜は、排水口１５及びドレンホース１６を介して排水管１７に排出される。
　一方、ファンモータ６が運転されると凝縮器５側から空気が吸い込まれ、外気がフィルタ８を介して凝縮器５内を流れ、この凝縮器５を空冷した後、ファンモータ６を経て圧縮機７に至り、圧縮機７も空冷して冷蔵庫本体２の後部に排気される。また、ファンモータ６により吸引された外気中の塵埃や油などはフィルタ８に付着するため、凝縮器５の目詰まりは防止される。
【００１７】
　次に、ファンモータ６が背面部に取り付けられるブラケット部材９について図２に基づいて説明する。
　図２に示すように、ステンレス板などの鋼板により形成されるブラケット部材９は、凝縮器５の上面部に載置される平面視略四角形の平板部２１と、この平板部２１の後側端縁部から略直角下側方向に凝縮器の高さ寸法にほぼ等しい高さ寸法延出されるモータ取付部２２と、このモータ取付部２２の下端部から略直角後側方向に所定長さ延出されて左右両端縁部にネジ止め用の各貫通孔２３Ａが穿設される台板取付部２３が形成されている。
【００１８】
　この平板部２１の左右幅寸法は、凝縮器５の左右幅寸法にほぼ等しく形成されている。また、この平板部２１の凝縮器５に対向する左右両端縁部には、ネジ止め用の各貫通孔２１Ａが穿設されている。また、平板部２１の前後方向の幅寸法は、凝縮器５の後側面とモータ取付部２２とが所定隙間を形成するように、凝縮器５の前後方向の幅寸法よりも大きくなるように形成されている。また、平板部２１を凝縮器５に載置して各貫通孔２１Ａを介してネジ止めした場合には、該平板部２１の前端縁部は、凝縮器５の前端縁部から前側方向に、フィルタ８の厚さ寸法にほぼ等しい寸法だけ延出されている（第１延出部として機能する）。
　また、この平板部２１の前端縁部から斜め下方向に所定角度（第１実施形態では、鉛直方向と約３０度の角度）で延出されるフィルタ支持部２４（第２延出部として機能する）が形成されている。また、このフィルタ支持部２４の左右方向中央部には、フィルタ８の取り付け位置を分かりやすくするための目印としてＶ字形の切込み部２４Ａが形成されている。
【００１９】
　また、モータ取付部２２の略中央部には略円形状の開口部２２Ａが開設されている。そして、この開口部２２Ａの外側周縁部は、半径方向の幅寸法が狭いリング状に形成されると共に、このリング状の上下左右端縁部から十字状に幅寸法が狭い支持部がモータ取付部２２の周縁部に延出されている。従って、この開口部２２Ａの外側周囲には４個の略四角形の大きな開口部２２Ｂが開設されている。また、このリング状の部分には、ファンモータ６をネジ止めするための一対のネジ孔２２Ｃが形成されている。
　また、このモータ取付部２２の左右両端縁部は、凝縮器５の後端部まで達するように前側方向に延出される各延出部２６が形成されている。また、各延出部２６の前側端縁部は、略直角内側方向に少し折り曲げられて、凝縮器５の左右後端縁部に当接するように構成されている。
【００２０】
　また、この各延出部２６の前後方向の略中央部には、モータ取付部２２の前側のほぼ全面を覆うベルマウス２８が、スポット溶接等により取り付けられている。このベルマウス２８は、ステンレス板などの鋼板により箱体状に形成さると共に、前後の両面の略中央部には、ほぼ上下端縁部に達する直径寸法の円形状の開口部２８Ａが穿設されている。これにより、ファンモータ６による空気の流れの効率をよくすることができる。
【００２１】
　このように構成されるブラケット部材９のモータ取付部２２の開口部２２Ａに各ネジ孔２２Ｃを介してファンモータ６を取り付けた後、平板部２１を凝縮器５に載置すると共に、各延出部２６の前端面部を凝縮器５の左右後端縁部に当接させて各貫通孔２１Ａを介して凝縮器５の上面部にネジ止めする。そして、ブラケット部材９の台板取付部２３を各貫通孔２３Ａを介してユニット台板４にネジ止めすることにより、ブラケット部材９及びファンモータ６がユニット台板４上に取り付けられる。これにより、凝縮器５の後側周囲は、平板部２１、各延出部２６、２６、及びユニット台板４によって覆われる。そして、ファンモータ６が運転された場合は、凝縮器５に流入した外気は、平板部２１、各延出部２６、２６、及びユニット台板４によって形成されるダクト部に流れ込み、ベルマウス２８の開口部２８Ａ及びモータ取付部２２の各開口部２２Ｂを通過し、ファンモータ６の後方に流れる。ここで、モータ取付部２２と各延出部２６は、カバー部を構成する。
【００２２】
　次に、フィルタ８について図３に基づいて説明する。
　図３に示すように、凝縮器５の前側全面をほぼ覆う矩形状のフィルタ８は、ＡＢＳ等の樹脂製の枠部材３１と、この枠部材３１によって保持される矩形状の網部材３２とから構成されている。また、この枠部材３１の前面側の下方中央位置には、把持部３１Ａが前側方向に所定長さ突出して形成されている。これにより、把持部３１Ａを持って、このフィルタ８の着脱作業を行うことができる。更に、この枠部材３１の下端面の左右端部には、後述のようにユニット台板４の上に形成される各差込孔４６（図４参照）に差し込まれる一対の係止突起３１Ｂが突出して形成されている。
【００２３】
　次に、ユニット台板４について図４に基づいて説明する。
　図４に示すように、ユニット台板４の表面は、薄いステンレス板や鋼板等の壁板４１、４２で形成されている。この一対の壁板４１、４２は、発泡材よりなるブロック部材（図示されていない）により互いに一定間隔を保持して対向している。そして、壁板４１、４２間の空間には断熱材が発泡充填されている。また、ユニット台板４の４隅には、冷蔵庫本体２の上面にネジ止めするための４個の貫通孔４３が穿設されている。
　また、ユニット台板４の上面部には、凝縮器５をネジ止めするための一対のネジ孔４４、ブラケット部材９の台板取付部２３を固定するための一対のネジ孔４５等が設けられている。また、凝縮器５の配設位置の前側の上面部には、上記フィルタ８の各係止突起３１Ｂが差し込まれる所定深さの一対の差込孔４６が設けられている。
【００２４】
　次に、このように構成される冷凍ユニット１のフィルタ８の取り付け方法について図５に基づいて説明する。
　図５は第１実施形態に係る冷凍ユニット１のフィルタ８の取り付け方法を説明する側面図で、（Ａ）はフィルタ８の上部挿入状態を示す側面図、（Ｂ）はフィルタ８を凝縮器５の前面部に押し当てる状態を示す側面図、（Ｃ）はフィルタ８の各係止突起３１Ｂをユニット台板４の各差込孔４６に差し込む状態を示す側面図である。
　図５（Ａ）に示すように、先ず、フィルタ８の把持部３１Ａを持って、ブラケット部材９のフィルタ支持部２４と凝縮器５の前側上端部とで形成される固定部としての空間に、フィルタ８の上端縁部を下側から差し込む（矢印５１方向）。この時、フィルタ支持部２４は、凝縮器５の前面部に対して所定角度（第１実施形態では、約３０度の角度である。）斜め前側に傾いているため、フィルタ８をこのフィルタ支持部２４の下面に沿わせて前側方向に斜めにして容易に差し込むことができる。
【００２５】
　そして、図５（Ｂ）に示すように、フィルタ８の上端縁部をブラケット部材９に押し当てつつ、該フィルタ８を凝縮器５の前面に対して平行になるようにする（矢印５２方向）。即ち、フィルタ８は、上端部がブラケット部材９に押し当てられると共に、ユニット台板４に対してほぼ垂直な状態にされる。
　続いて、図５（Ｃ）に示すように、フィルタ８をほぼ垂直下側方向（矢印５３方向）に降ろして、該フィルタ８の各係止突起３１Ｂをユニット台板４の各差込孔４６に差し込む。　これにより、フィルタ８は、上端縁部をブラケット部材９のフィルタ支持部２４と凝縮器５の前側上端部とで形成される空間に支持され、下端部を各差込孔４６により支持されて凝縮器５の前側に固定される。
【００２６】
　一方、フィルタ８を交換などのために冷凍ユニット１から取り外す場合には、上記とは逆に、フィルタ８の把持部３１Ａを持って、該フィルタ８の上端部がブラケット部材９に当たるまで上側に持ち上げて、各係止突起３１Ｂをユニット台板４の各差込孔４６から抜いた後、手前側に引き抜くことにより簡単に取り外すことができる。
【００２７】
　従って、ブラケット部材９のフィルタ支持部２４は、平板部２１の前端縁部から所定角度で斜め下前側方向に延出されているため、フィルタ８の上端部をフィルタ支持部２４に沿わせて斜め前側方向に傾けて差し込み及び抜き取り作業をすることができ、フィルタ８の取り付け・取り外し作業を容易に行うことができると共に、フィルタ８の取り付け・取り外し時に、該フィルタ８の枠部材３１を曲げる必要がなくなってフィルタ８を傷めることなく長期間の使用が可能となる。また、フィルタ８の上端部をブラケット部材９のフィルタ支持部２４と凝縮器５の前側上端部とで形成される空間に挿入しつつ、このフィルタ８の下端部に形成される各係止突起３１Ｂをユニット台板の各差込孔４６に差し込むことによりこのフィルタ８を着脱可能に取り付けることができるため、フィルタ８を保持するための部品点数を削減することができ、冷凍ユニット１の組立作業性の向上を図ることができる。
　また、ブラケット部材９の平板部２１の後端縁部から略直角下側方向に延出されるモータ取付部２２にファンモータ６が取り付けられると共に、各延出部２６やベルマウス２８等により凝縮器５の背面部にダクト部を構成することができるため、凝縮器５の周囲に取り付ける部品点数の削減化を図ることができ、組立作業性の向上を図ることができると共に、ユニット台板４上のスペースを効率的に使用することができ、省スペース化を図ることができる。
【実施例２】
【００２８】
　次に、第２実施形態に係る冷凍ユニットについて図６乃至図８に基づいて説明する。尚、上記第１実施形態に係る冷凍ユニット１と同一符号は、上記第１実施形態に係る冷凍ユニット１と同一あるいは相当部分を示すものである。
　この第２実施形態に係る冷凍ユニットの概略構成は、第１実施形態に係る冷凍ユニット１の構成とほぼ同じ構成である。但し、第２実施形態に係る冷凍ユニットのフィルタ及びブラケット部材の構成は、後述のように第１実施形態に係る冷凍ユニット１のフィルタ８及びブラケット部材９の構成と異なっている。
　ここで、図６は第２実施形態に係る冷凍ユニットのフィルタの概略構成を示す図で、（Ａ）は正面図、（Ｂ）は側面図である。図７は第２実施形態に係る冷凍ユニットのブラケット部材を示す図で、（Ａ）は平面図、（Ｂ）は正面図、（Ｃ）は側面図である。図８は第２実施形態に係る冷凍ユニットのフィルタの取り付け方法を説明する側面図で、（Ａ）はフィルタの上部挿入状態を示す側面図、（Ｂ）はフィルタを凝縮器５の前面部に押し当てる状態を示す側面図、（Ｃ）はフィルタの各係止突起３１Ｂをユニット台板４の各差込孔４６に差し込む状態を示す側面図である。
【００２９】
　ここで、第２実施形態に係る冷凍ユニット６１（図８参照）のフィルタ６２及びブラケット部材６３の概略構成について図６及び図７に基づいて説明する。
　図６に示すように、第２実施形態に係る冷凍ユニット６１のフィルタ６２は、上記フィルタ８の構成とほぼ同じ構成であるが、枠部材３１の上端縁部の左右方向中央位置に側面視略四角形の位置決めリブ部６５が所定突出高さ寸法（第２実施形態では、把持部３１Ａの突出高さ寸法の約１／２である。）で略垂直に立設されている。
【００３０】
　また、図７に示すように、第２実施形態に係る冷凍ユニット６１のブラケット部材６３は、上記ブラケット部材９の構成とほぼ同じ構成であるが、フィルタ支持部２４のＶ字形の切込み部２４Ａに替えて、該フィルタ支持部２４の左右方向中央位置には、フィルタ６２の位置決めリブ部６５が前側から嵌入される位置決め用溝部６６が、平板部２１の前端縁部から該フィルタ支持部２４の前端縁部まで切り欠かれて形成されている。また、この位置決め用溝部６６の前端縁部は、所定の面取がなされ、位置決めリブ部６５を容易に嵌入できるようになっている。
【００３１】
　このように構成されるブラケット部材６３のモータ取付部２２の開口部２２Ａに各ネジ孔２２Ｃを介してファンモータ６を取り付けた後、平板部２１を凝縮器５に載置すると共に、各延出部２６の前端面部を凝縮器５の左右後端縁部に当接させて各貫通孔２１Ａを介して凝縮器５の上面部にネジ止めする。そして、ブラケット部材６３の台板取付部２３を各貫通孔２３Ａを介してユニット台板４にネジ止めすることにより、ブラケット部材６３及びファンモータ６がユニット台板４上に取り付けられる。これにより、凝縮器５の後側周囲は、ブラケット部材６３の平板部２１、各延出部２６、２６、及びユニット台板４によって覆われる。そして、ファンモータ６が運転された場合は、凝縮器５に流入した外気は、平板部２１、各延出部２６、２６、及びユニット台板４によって形成されるダクト部に流れ込み、ベルマウス２８の開口部２８Ａ及びモータ取付部２２の各開口部２２Ｂを通過し、ファンモータ６の後方に流れる。ここで、ブラケット部材６３のモータ取付部２２と各延出部２６は、カバー部を構成する。
【００３２】
　次に、このように構成される冷凍ユニット６１のフィルタ６２の取り付け方法について図８に基づいて説明する。
　図８（Ａ）に示すように、先ず、フィルタ６２の把持部３１Ａを持って、位置決めリブ部６５をブラケット部材６３の位置決め用溝部６６に嵌入しつつ、該フィルタ６２の上端縁部をブラケット部材６３のフィルタ支持部２４と凝縮器５の前側上端部とで形成される固定部としての空間に下側から差し込む（矢印７１方向）。この時、フィルタ支持部２４は、凝縮器５の前面部に対して所定角度（第２実施形態では、約３０度の角度である。）斜め前側に傾いているため、フィルタ６２をこのフィルタ支持部２４の下面に沿わせて前側方向に斜めにして容易に差し込むことができる。また、位置決めリブ部６５はフィルタ６２の上端縁部の左右方向中央位置に形成され、一方、位置決め用溝部６６は、フィルタ支持部２４の左右方向中央位置に形成されているため、フィルタ６２のフィルタ支持部２４に対する左右方向の位置決めを確実に行うことができ、該ブラケット部材６３を介して凝縮器５の前面部の左右方向中央位置に位置決めすることができる。
【００３３】
　そして、図８（Ｂ）に示すように、フィルタ６２の上端縁部をブラケット部材６３に押し当てつつ、該フィルタ６２を凝縮器５の前面に対して平行になるようにする（矢印７２方向）。即ち、フィルタ６２は、位置決めリブ部６５がフィルタ支持部２４の位置決め用溝部６６に嵌入された状態で、上端部がブラケット部材６３に押し当てられると共に、ユニット台板４に対してほぼ垂直な状態にされる。
　続いて、図８（Ｃ）に示すように、フィルタ６２をほぼ垂直下側方向（矢印７３方向）に降ろして、該フィルタ６２の各係止突起３１Ｂをユニット台板４の各差込孔４６に差し込む。　これにより、フィルタ６２は、位置決めリブ部６５の上端部がフィルタ支持部２４の位置決め用溝部６６に嵌入された状態で、上端縁部をブラケット部材６３のフィルタ支持部２４と凝縮器５の前側上端部とで形成される空間に支持され、下端部の各係止突起３１Ａを各差込孔４６により支持されて凝縮器５の前側に固定される。
【００３４】
　一方、フィルタ６２を交換などのために冷凍ユニット６１から取り外す場合には、上記とは逆に、フィルタ６２の把持部３１Ａを持って、該フィルタ６２の上端部がブラケット部材６３に当たるまで上側に持ち上げて、各係止突起３１Ｂをユニット台板４の各差込孔４６から抜いた後、手前側に引き抜くことにより簡単に取り外すことができる。
【００３５】
　従って、ブラケット部材６３のフィルタ支持部２４は、平板部２１の前端縁部から所定角度で斜め下前側方向に延出されているため、フィルタ６２の位置決めリブ部６５をブラケット部材６３の位置決め用溝部６６に嵌入しつつ、該フィルタ６２の上端部をフィルタ支持部２４に沿わせて斜め前側方向に傾けて差し込み及び抜き取り作業をすることができ、フィルタ６２の左右方向の位置決めをしつつ、取り付け・取り外し作業を容易に行うことができる。また、フィルタ６２の取り付け・取り外し時に、該フィルタ６２の枠部材３１を曲げる必要がなくなってフィルタ６２を傷めることなく長期間の使用が可能となる。また、フィルタ６２は、位置決めリブ部６５の上端部がフィルタ支持部２４の位置決め用溝部６６に嵌入された状態で、上端部をブラケット部材６３のフィルタ支持部２４と凝縮器５の前側上端部とで形成される空間に挿入しつつ、このフィルタ６２の下端部に形成される各係止突起３１Ｂをユニット台板の各差込孔４６に差し込むことによりこのフィルタ６２を着脱可能に取り付けることができるため、フィルタ６２を保持するための部品点数を削減することができ、冷凍ユニット６１の組立作業性の向上を図ることができる。
【００３６】
　また、フィルタ６２は、位置決めリブ部６５の上端部がフィルタ支持部２４の位置決め用溝部６６に嵌入された状態で、上端縁部をブラケット部材６３のフィルタ支持部２４と凝縮器５の前側上端部とで形成される空間に支持され、下端部の各係止突起３１Ａを各差込孔４６により支持されて凝縮器５の前側に固定されるため、フィルタ６２の左右方向の固定強度の向上を図ることができる。
　更に、ブラケット部材６３の平板部２１の後端縁部から略直角下側方向に延出されるモータ取付部２２にファンモータ６が取り付けられると共に、各延出部２６やベルマウス２８等により凝縮器５の背面部にダクト部を構成することができるため、凝縮器５の周囲に取り付ける部品点数の削減化を図ることができ、組立作業性の向上を図ることができると共に、ユニット台板４上のスペースを効率的に使用することができ、省スペース化を図ることができる。
【実施例３】
【００３７】
　尚、本発明は前記第１実施形態及び第２実施形態に限定されることはなく、本発明の要旨を逸脱しない範囲内で種々の改良、変形が可能であることは勿論である。
　例えば、前記第１実施形態及び第２実施形態では、各フィルタ８、６２の下端面に立設される各係止突起３１Ｂは、略円柱状であるが、各係止突起３１Ｂを左右方向に長い水平視略長四角形のリブ状に立設し、各差込孔４６を左右方向に長い水平視略長四角形の角穴にしてもよい。これにより、各係止突起３１Ｂの機械的強度の向上を図ることができる。
【実施例４】
【００３８】
　また、前記第２実施形態では、位置決め用溝部６６をフィルタ支持部２４の左右方向の略中央位置に形成したが、左右方向の任意の位置に形成してもよい。また、該位置決め用溝部６６をフィルタ支持部２４の左右方向の２カ所以上に形成すると共に、フィルタ６２の上端縁部の各位置決め用溝部６６に対向する箇所に位置決めリブ部６５を突設する構成にしてもよい。これにより、フィルタ６２の左右方向の固定強度の更なる向上を図ることができる。
【図面の簡単な説明】
【００３９】
【図１】第１実施形態に係る冷凍ユニットの概略構成を示す要部側面図である。
【図２】第１実施形態に係る冷凍ユニットのブラケット部材を示す図で、（Ａ）は平面図、（Ｂ）は正面図、（Ｃ）は側面図である。
【図３】第１実施形態に係る冷凍ユニットのフィルタの概略構成を示す図で、（Ａ）は正面図、（Ｂ）は側面図である。
【図４】第１実施形態に係る冷凍ユニットのユニット台板の概略構成を示す図で（Ａ）は平面図、（Ｂ）は正面図である。
【図５】第１実施形態に係る冷凍ユニットのフィルタの取り付け方法を説明する側面図で、（Ａ）はフィルタの上部挿入状態を示す側面図、（Ｂ）はフィルタを凝縮器の前面部に押し当てる状態を示す側面図、（Ｃ）はフィルタの各係止突起をユニット台板の各差込孔に差し込む状態を示す側面図である。
【図６】第２実施形態に係る冷凍ユニットのフィルタの概略構成を示す図で、（Ａ）は正面図、（Ｂ）は側面図である。
【図７】第２実施形態に係る冷凍ユニットのブラケット部材を示す図で、（Ａ）は平面図、（Ｂ）は正面図、（Ｃ）は側面図である。
【図８】第２実施形態に係る冷凍ユニットのフィルタの取り付け方法を説明する側面図で、（Ａ）はフィルタの上部挿入状態を示す側面図、（Ｂ）はフィルタを凝縮器の前面部に押し当てる状態を示す側面図、（Ｃ）はフィルタの各係止突起をユニット台板の各差込孔に差し込む状態を示す側面図である。
【符号の説明】
【００４０】
　１、６１・・冷凍ユニット、２・・冷蔵庫本体、４・・ユニット台板、５・・凝縮器、６・・ファンモータ、８、６２・・フィルタ、９、６３・・ブラケット部材、２１・・平板部、２２・・モータ取付部、２２Ａ・・開口部、２３・・台板取付部、２４・・フィルタ支持部、２６・・延出部、２８・・ベルマウス、３１・・枠部材、３１Ａ・・把持部、３１Ｂ・・係止突起、４６・・差込孔、６５・・位置決めリブ部、６６・・・位置決め用溝部
【図１】
2004125386.tif 000003
【図２】
2004125386.tif 000004
【図３】
2004125386.tif 000005
【図４】
2004125386.tif 000006
【図５】
2004125386.tif 000007
【図６】
2004125386.tif 000008
【図７】
2004125386.tif 000009
【図８】
2004125386.tif 000010